(57)【特許請求の範囲】
【請求項１】
所定間隔で形成されたプラグインホール近傍に配置されて、バスダクト用ハウジング内部に収納される複数の導体を固定する絶縁物であって、
前記絶縁物は、前記導体を挟み込んで固定する、プラグインホール側の第１絶縁物と反対側の対応する第２絶縁物からなり、
前記第１絶縁物および前記第２絶縁物は、それぞれ、矩形の枠部と、前記プラグインホールに対応する開口部と、前記導体に垂直に配置された複数の壁面部と、を備え、
前記複数の壁面部は、前記導体の長軸方向に所定の隔たりを有して位置しており、それぞれ前記導体を受け入れて固定する溝部を備えている導体保持用絶縁物において、
前記複数の壁面部は、それぞれ、概ね矩形の板材の一方の角部を除去して形成された概ねＬ字形板材からなり、更に、
前記第１絶縁物および前記第２絶縁物にそれぞれ設けられた壁面部のＬ字形の高い部分が同じ側で相対していることを特徴とする導体保持用絶縁物。
【請求項２】
前記壁面部のＬ字形の高い部分の中央部に空気が通過する連通空間部を備えていることを特徴とする請求項１に記載の導体保持用絶縁物。
【請求項３】
所定間隔で形成されたプラグインホール近傍に配置されて、バスダクト用ハウジング内部に収納される複数の導体を固定する絶縁物であって、
前記絶縁物は、前記導体を挟み込んで固定する、プラグインホール側の第１絶縁物と反対側の対応する第２絶縁物からなり、
前記第１絶縁物および前記第２絶縁物は、それぞれ、矩形の枠部と、前記プラグインホールに対応する開口部と、前記導体に垂直に配置された複数の壁面部と、を備え、
前記複数の壁面部は、前記導体の長軸方向に所定の隔たりを有して位置しており、それぞれ前記導体を受け入れて固定する溝部を備えている導体保持用絶縁物において、
前記第１絶縁物および前記第２絶縁物は、それぞれの壁面部の高い部分に空気が通過する連通空間部を備えていることを特徴とする導体保持用絶縁物。
【請求項４】
前記第１絶縁物は、前記プラグインホールに対応する前記開口部の回りにハウジングの外側、内側の空気が通過する連通空間部を形成する突起部を備えていることを特徴とする請求項１乃至３のいずれか１項に記載の導体保持用絶縁物。 
【発明の詳細な説明】
【技術分野】
【０００１】
この発明は、電気導体を収納するバスダクト用ハウジング内に電気導体を固定する導体保持用絶縁物、特に空気絶縁バスダクトの導体保持用絶縁物に関する。
【背景技術】
【０００２】
高層ビル等の構造物では、電気幹線路を構成するためにバスダクトが使用されている。バスダクトは通常ケーブル等とは異なり、大きな荷重、剛性を有している。一般にバスダクトとは、電気導体の周囲を絶縁材で覆って構成した絶縁導体をハウジングの内部に複数収納保持するものである。このバスダクトは、複数のケーブルを束ねて配線する配線システムと比較して、火災などの発生防止や漏洩磁束防止などに極めて優れた機能を有することから、工場施設やビルの主電力供給ラインなどに広く用いられている。
【０００３】
空気絶縁型バスダクトは、金属製のダクト内に絶縁物を介して複数の裸バスバーを平行に配置したものである。バスダクトの１ユニットの長さは一般に２．５ｍ又は３ｍであり、このバスダクトを複数ユニット接続して工場等の電源ラインとして使用される。バスダクトから電気的な分岐をとる箇所にはプラグイン器具やボルトオン器具（以下、これらをまとめてプラグイン器具という）が取り付けられる。プラグイン器具を取り付ける部分には、ダクトにプラグインホールが形成されている。プラグインホールは１ユニットのバスダクトに適当間隔で複数形成されており、プラグイン器具が取り付けられないプラグ
インホールはホールカバーで塞がれている。
【０００４】
従来のプラグインホールを備えたバスダクトの具体例を図８〜図１０に示す。図８は、従来のプラグインホールを備えたバスダクトの一例を示す図である。図８（ａ）は、正面図、図８（ｂ）は底面図である。図８に示すように、金属製のダクト１００は、正面板１０１ａ、背面板１０１ｂ、上面板１０１ｃ、下面板１０１ｄからなる断面が概ね矩形のハウジングである。帯板状導体よりなる裸のバスバー１０２Ａ、１０２Ｂ、１０２Ｃがダクト内に収納されている。絶縁物１０３ａ、１０３ｂによって、ダクト１００内で、複数のバスバー１０２Ａ〜１０２Ｃが平行に支持されている。
【０００５】
ダクト１００の正面板１０１ａ及び背面板１０１ｂには、長手方向に所要の間隔をおいて互い違いにプラグインホール１０４が形成されている。プラグインホールは、ダクトの正面板のみに形成される場合もある。プラグインホール１０４はプラグイン器具を取り付ける部分であり、製品出荷状態では図８（ｂ）のように全てのプラグインホール１０４がホールカバー１０５で塞がれている。納入先で電源ラインを構築した後に、プラグイン器具を取り付けるときには、その部分のホールカバー１０５を取り外して、プラグイン器具を取り付ける。
【０００６】
図９は図８に示すバスダクトの要部を示す図である。図９（ａ）は一部切開正面図、図９（ｂ）は平面図、図９（ｃ）はＣ−Ｃ線断面図、図９（ｄ）はＤ−Ｄ線断面図である。
図９に示すように、絶縁物１０３は、プラグインホール１０４側の絶縁物１０３ａと、その反対側の絶縁物１０３ｂとに分割されている。双方の絶縁物１０３ａ、１０３ｂには相対する位置にバスバー装着用の溝１０６が形成され、溝１０６でバスバー１０２Ａ〜１０２Ｃの両側を挟み付けて、固定している。図１０は、プラグインホール側の絶縁物を示す図である。図９に示す例においては、双方の絶縁物１０３ａ、１０３ｂは四角形の筒形に形成されており、プラグインホール１０４側の絶縁物１０３ａには、図１０に示すように、プラグインホール１０４側の端面の内周部にリブ１０７が突設されている。プラグインホール１０４側の絶縁物１０３ａは、このリブ１０７を図９のようにプラグインホール１０４に嵌め込んだ状態で、ダクト１００内に設置される。反対側の絶縁物１０３ｂもダクト長手方向の同じ位置に設置されるので、プラグインホール１０４内は絶縁物の壁で囲まれた状態となる。
【０００７】
リブ１０７の高さはダクト１００を構成する金属板の厚さよりも若干高く設定されている。このため、リブ１０７をプラグインホール１０４に嵌合すると、ダクト１００の表面からリブ１０７の先端が若干突出する状態となる。ホールカバー１０５には、このリブ１０７の突出を吸収できるように四角形の膨出部１０８が形成されている。ホールカバー１０５の周辺はダクト１００の表面に面接触するように平面である。
【０００８】
【特許文献１】特開２００４−２２９３５８号公報
【発明の開示】
【発明が解決しようとする課題】
【０００９】
バスダクトに通電すると、バスバーが発熱する。空気絶縁型のプラグインホールを備えたバスダクトでは、バスバーで発生した熱は、ダクト内の空気を介してダクト及びホールカバーに伝わり、ダクト及びホールカバーの表面から大気中に放熱される。しかし、バスバーからダクト及びホールカバーへの熱伝達は、ダクト内に閉じ込められた空気を介しての熱伝達であるため、放熱効率がわるい。このため、従来のプラグインバスダクトはバスバーの温度上昇を抑えることが困難である。
更に、帯板状導体よりなるバスバーは、絶縁物１０３ａ、１０３ｂに形成されたバスバー装着用の溝１０６に挿入され、両側から挟み付けられた状態であるので、バスバーがその長軸方向に沿って動き易く、バスバー相互にズレが生じたり、傾斜した状態におくと、バスバーが絶縁物から外れてしまい、再度組立てなければならないという問題があった。
【００１０】
本発明の目的は、傾斜した状態におかれても、バスバーがバスダクト用ハウジング内に確実に固定され、バスバーによって発生した熱の放熱効率を高めて、バスバーの温度上昇を低く抑えることのできる導体保持用絶縁物を提供することにある。
【課題を解決するための手段】
【００１１】
本発明者は、上述した従来の問題点を解決すべく鋭意研究を重ねた。その結果、以下のことが判明した。導体を挟み込んで固定する、プラグインホール側の第１絶縁物と反対側の対応する第２絶縁物からなる絶縁物を準備し、プラグインホールの両側の、第１絶縁物および第２絶縁物のそれぞれに、少なくとも１対の壁面部（片側２枚、合計４枚）を設けて、導体を挟み込む溝部を中心線がずれるように壁面部に設けると、導体は絶縁物の壁面部によってジグザグに保持されて、壁面部と接触している導体の部分は加圧された状態になるので、導体は強固に固定されて、その長軸方向に移動することが阻止されることが判明した。
【００１２】
更に、第１絶縁物および第２絶縁物のそれぞれの壁面部間に空隙を設け、壁面部の高さを変化させ、プラグインホール周辺の導体と絶縁物との間に空気が流れる連通空間部を設けることによって、外気がバスダクト用ハウジング内に流れ込み、または、導体の熱がバスダクト用ハウジング内の空気によって外部に流れることができ、放熱効率を高めて導体の温度上昇を低く抑えることができることが判明した。
【００１３】
この発明は、上記研究結果に基づいてなされたものであって、この発明の導体保持用絶縁物の第１の態様は、所定間隔で形成されたプラグインホール近傍に配置されて、バスダクト用ハウジング内部に収納される複数の導体を固定する絶縁物であって、
前記絶縁物は、前記導体を挟み込んで固定する、プラグインホール側の第１絶縁物と反対側の対応する第２絶縁物からなり、
前記第１絶縁物および前記第２絶縁物は、それぞれ、矩形の枠部と、前記プラグインホールに対応する開口部と、前記導体に垂直に配置された複数の壁面部と、を備え、
前記複数の壁面部は、前記導体の長軸方向に所定の隔たりを有して位置しており、それぞれ前記導体を受け入れて固定する溝部を備えている導体保持用絶縁物において、
前記複数の壁面部は、それぞれ、概ね矩形の板材の一方の角部を除去して形成された概ねＬ字形板材からなり、更に、
前記第１絶縁物および前記第２絶縁物にそれぞれ設けられた壁面部のＬ字形の高い部分が同じ側で相対していることを特徴とする導体保持用絶縁物である。
【００１４】
この発明の導体保持用絶縁物の第２の態様は、上述の第１の態様において、前記壁面部のＬ字形の高い部分の中央部に空気が通過する連通空間部を備えていることを特徴とする導体保持用絶縁物である。
【００１５】
この発明の導体保持用絶縁物の第３の態様は、所定間隔で形成されたプラグインホール近傍に配置されて、バスダクト用ハウジング内部に収納される複数の導体を固定する絶縁物であって、
前記絶縁物は、前記導体を挟み込んで固定する、プラグインホール側の第１絶縁物と反対側の対応する第２絶縁物からなり、
前記第１絶縁物および前記第２絶縁物は、それぞれ、矩形の枠部と、前記プラグインホールに対応する開口部と、前記導体に垂直に配置された複数の壁面部と、を備え、
前記複数の壁面部は、前記導体の長軸方向に所定の隔たりを有して位置しており、それぞれ前記導体を受け入れて固定する溝部を備えている導体保持用絶縁物において、
前記第１絶縁物および前記第２絶縁物は、それぞれの壁面部の高い部分に空気が通過する連通空間部を備えていることを特徴とする導体保持用絶縁物である。
【００１６】
この発明の導体保持用絶縁物の第４の態様は、上述の第１乃至３のいずれか１つの態様において、前記第１絶縁物が、前記プラグインホールに対応する前記開口部の回りにハウジングの外側、内側の空気が通過する連通空間部を形成する突起部を備えていることを特徴とする導体保持用絶縁物である。
【発明の効果】
【００２４】
この発明によると、バスバーによって発生した熱の放熱効率を高めて、バスバーの温度上昇を低く抑えることのできる導体保持用絶縁物を提供することができる。
【発明を実施するための最良の形態】
【００２５】
本発明の導体保持用絶縁物の態様について図面を参照しながら詳細に説明する。
この発明の導体保持用絶縁物の１つの態様は、所定間隔で形成されたプラグインホール近傍に配置されて、バスダクト用ハウジング内部に収納される少なくとも１本の導体を固定する絶縁物であって、絶縁物は、導体を挟み込んで固定する、プラグインホール側の第１絶縁物と反対側の対応する第２絶縁物からなり、第１絶縁物および第２絶縁物は、導体に垂直に配置されたそれぞれ対応する複数対の壁面部を備え、壁面部は、導体の長軸から所定の隔たりを有して位置して、導体を受け入れて固定する溝部を備えている、導体保持用絶縁物である。
【００２６】
図１は、この発明の導体保持用絶縁物の第１絶縁物の１つの態様を説明する斜視図である。図２は、この発明の導体保持用絶縁物の第２絶縁物の１つの態様を説明する斜視図である。導体保持用絶縁物４０は、第１絶縁物１０および第２絶縁物２０からなり、所定間隔で形成されたプラグインホール近傍に配置されて、バスダクト用ハウジング内部に収納される少なくとも１本の導体３０を固定する絶縁物である。第１絶縁物１０および第２絶縁物２０はそれぞれ対応する矩形の枠部１９、２９と、壁面部と、プラグインホールに対応する開口部を備えている。
【００２７】
図１に示すように、プラグインホール側の第１絶縁物１０は、一方の面の中央部に、プラグインホールに対応するリブ１５を備えている。第１絶縁物１０は、枠部１９と、４つの壁面部１１、１２、１３、１４とを備えている。図では明確に示されていないが、壁面部１１、１２、１３、１４は、開口部に関して、対称に配置されている。第１絶縁物１０は、プラグインホールに対応する開口部の回りにハウジングの外側、内側の空気が通過する連通空間部を形成する突起部３５を備え、第１絶縁物１０および第２絶縁物２０は、それぞれの壁面部のＬ字形の高い部分の中央部に空気が通過する連通空間部３７を備えている。  
【００２８】
図２に示すように、第１絶縁物２０は、枠部２９と、４つの壁面部２１、２２、２３、２４とを備えている。図２から明らかなように、壁面部２１、２２、２３、２４は、開口部に関して、対称に配置されている。
【００２９】
図２に示すように、第２絶縁物の壁面部２１、２２、２３、２４は、それぞれ、概ね矩形の板材の一方の角部を除去して形成された概ねＬ字形板材からなっている。Ｌ字形の高い部分および低い部分が、導体の長軸方向に沿って交互に配置され、Ｌ字形の高い部分は深い溝部２８−１、２６−２、２６−３、２８−４を備え、Ｌ字形の低い部分は浅い溝部２６−１、２８−２、２８−３、２６−４を備えている。
【００３０】
図３は、この発明の導体保持用絶縁物を説明する分解斜視図である。図３に示すように、第１絶縁物１０と第２絶縁物２０とは、相対して配置され、それぞれの対応する溝部に導体３０が挿入され、固定される。即ち、第１絶縁物の壁面部のＬ字形の高い部分に、第２絶縁物の壁面部の対応するＬ字形の低い部分が配置され、第１絶縁物の壁面部のＬ字形の低い部分に、第２絶縁物の壁面部の対応するＬ字形の高い部分が配置されている。
【００３１】
具体的には、第１絶縁物の溝部１６−１、１６−２、１６−３、１６−４(図中なし)に導体３０−１の一方の側面（図では上側）が挿入され、第２絶縁物の溝部２６−１、２６−２、２６−３、２６−４に導体３０−１の他方の面（図では下側）が挿入される。第２絶縁物の溝部２６−１、２６−２は中心線が僅かにずれており、溝部２６−３、２６−４も中心線が僅かにずれている。同様に、第１絶縁物の溝部１６−１、１６−２は中心線が僅かにずれており、溝部１６−３、１６−４も中心線が僅かにずれている。相互に中心線を僅かにずらすことによって、導体が溝部の内側の面によって加圧されて、ジグザグに保持される。
【００３２】
同様に、第１絶縁物の溝部１７−１、１７−２、１７−３、１７−４(図中なし)に導体３０−２の一方の側面（図では上側）が挿入され、第２絶縁物の溝部２７−１、２７−２、２７−３、２７−４に導体３０−２の他方の面（図では下側）が挿入される。更に、第１絶縁物の溝部１８−１、１８−２、１８−３、１８−４(図中なし)に導体３０−３の一方の側面（図では上側）が挿入され、第２絶縁物の溝部２８−１、２８−２、２８−３、２８−４に導体３０−３の他方の面（図では下側）が挿入される。
【００３３】
図４は、壁面部を説明する図である。図４（ａ）は、プラグインホール側の第１絶縁部および第２絶縁部の対応する壁面部を示し、図４（ｂ）はそれに隣接する（プラグインホールから遠ざかる側）第１絶縁部および第２絶縁部の対応する壁面部を示す。図４を参照して上述した壁面部の配置状況を説明する。図４（ａ）に示すように、図中左側の第１絶縁物１０(図中なし)の壁面部１２のＬ字形の高い部分３１に、第２絶縁物２０(図中なし)の壁面部２２の対応するＬ字形の低い部分３２が相対して配置され、第１絶縁物１０の壁面部１１のＬ字形の低い部分３２に、第２絶縁物２０の壁面部２１の対応するＬ字形の高い部分３１が相対して配置される。
【００３４】
図５は第２絶縁物を参照して溝部のずれを説明する図である。図５（ａ）は平面図、図５（ｂ）は正面図、図５（ｃ）は側面図である。図５（ｃ）は、第２絶縁物の壁面部２１および２２を側面からみた状態を示している。図５（ｃ）から明らかなように、プラグインホール側の壁面部２２のＬ字形の高い部分３１と、隣接する壁面部２１のＬ字形の低い部分３２が対応し、プラグインホール側の壁面部２２のＬ字形の低い部分３２が隣接する壁面部２１のＬ字形の高い部分３１が対応して配置されている。
【００３５】
このようにＬ字形の高い部分と低い部分を導体の長手方向に沿って交互に配置することによって、十分な空間が確保でき、ハウジング内の空気の流れを容易にして、導体の温度上昇を抑制し易く設定している。図５（ｂ）に矢印で示す方向に溝を僅かにずらしている。即ち、壁面部２１および壁面部２３は図中の上側にずらし、壁面部２２および壁面部２４は図中の下側にずらして、導体に加圧している。
【００３６】
この発明の導体保持用絶縁物は、図６に示すバスダクト用ハウジングと組み合わせて使用することができる。即ち、上述したように第１絶縁物および第２絶縁物の溝部を僅かにずらすことによって、溝の内面が導体を加圧する。バスダクト用ハウジング内にその状態で固定する。
図６に示すバスダクト用ハウジングは、１対のハウジング部材２、３の相対する先端部分に嵌合部を設けて、対応する先端部の面を合わせて押し込むと、ワンタッチで結合される。
【００３７】
即ち、ハウジング１は、１対の相対する断面概ねコの字形の第１部材２と、第２部材３とを備えている。第１部材２および第２部材３は、相互に嵌合して、内部に導体３０および導体３０を固定する絶縁物４０を収納する断面矩形の空間を形成する。即ち、嵌合は、ワンタッチで簡単に行える。しかし、一度結合されると、外れない構造になっているので、信頼性は高い。
上述した嵌合部は、第１嵌合部４および第２嵌合部５からなっている。第１嵌合部４は、第１部材２の第１端部６および第２部材３の第１端部７からなっている。同様に、第２嵌合部５は、第１部材２の第２端部８および第２部材３の第２端部９からなっている。第１端部６、７および第２端部８、９は、それぞれ対応する平らな面、および、嵌合する先端部と凹部とを有する傾斜面を備えている。
【００３８】
ハウジング１内に収納された導体３０および導体３０を固定する絶縁物４０は、ハウジングの側壁部によって、固定されるので、上述したように溝部が僅かにずれた状態で絶縁物が固定される。他方、このように固定された導体および導体を固定する絶縁物が、第１部材２および第２部材３のハウジング内側方向への動きを阻止しているので、強固に嵌合され、外れることなく十分な強度を備えている。即ち、導体および導体を固定する絶縁物が、第１部材２および第２部材３のハウジング内側方向への動きを阻止する機能を備えていることが嵌合を確実にする。
【００３９】
図７は、導体および導体を固定する絶縁物が収納されたバスダクトを説明する断面図である。図７に示すように、空気絶縁型バスダクトは、金属製のハウジング１の中に絶縁物４０(図中なし)を介して複数の導体（裸バスバー）３０−１、３０−２、３０−３を平行に配置して形成されている。通常、バスダクトから電気的な分岐をとる箇所には、プラグイン器具やボルトオン器具が取り付けられ、プラグイン器具等を取り付ける部分には、バスダクトにプラグインホールが形成されている。絶縁物４０は、プラグインホールが設けられたハウジングの第２部材３側と、反対側の第１部材２側に分割されて配置されている。このように、分割された絶縁物４０によって両側から挟み込まれて、３本の導体３０がハウジング１内に配置されて固定されている。
【００４０】
第１嵌合部および第２嵌合部のそれぞれの外側に突起部を備え、突起部と第１嵌合部および前記第２嵌合部のそれぞれの外側の平らな面の間に嵌合外れ防止補強板材を備えていてもよい。
図７に示す態様では、嵌合部４、５の両端部に突起部３３が設けられ、嵌合部４、５の平らな面と突起部３３によって形成された縦長の空間に、板材３４が挿入されている。このように、板材を突起部と嵌合部の外表面で形成される空間に挿入すると、外部から予期しない力が加わっても、嵌合の外れを確実に防止することができる。
【００４１】
従って、相互に嵌合する先端部と凹部の形状は、押し込みによって容易に結合され、結合されると外れないように設計される。特に先端部と凹部との境界部分の形状は、押し込みは容易で、反対方向への力を加えても外れないことように、逆行阻止機能を備えていることが必要である。
この発明のバスダクト用ハウジングにおいては、導体を固定するために内部に収納された絶縁物が、本来の絶縁機能の他に、第１部材および第２部材の内側への変形を阻止しているので、結合は容易であるが外れにくいという所謂不可逆的な嵌合を確実にしている。
【００４２】
第１部材および第２部材は、嵌合において、外れないように嵌合しているが、長軸方向に沿って、第１部材および第２部材を、第１嵌合部および第２嵌合部においてスライドして、嵌合を解くことができる。即ち、対応する大きさの先端部と凹部が嵌合したままの状態で、ハウジングの長軸方向にスライドして、嵌合を解くことができる。
【００４３】
上述した態様においては、第１嵌合部および第２嵌合部の板厚が、他の部分の板厚よりも大きく設定しているが、第１嵌合部および第２嵌合部の板厚は、他の部分の板厚と同じ厚さであってもよい。
上述したバスダクト用のハウジングは、図に示した態様だけでなく、特に嵌合部は、上述した機能を果たすことができる形状であれば、どのような形状であってもよい。
【００４４】
上述したように、この発明によると、傾斜した状態におかれても、バスバーがバスダクト用ハウジング内に確実に固定され、バスバーによって発生した熱の放熱効率を高めて、バスバーの温度上昇を低く抑えることのできる導体保持用絶縁物を提供することができる。
【図面の簡単な説明】
【００４５】
【図１】図１は、この発明の導体保持用絶縁物の第１絶縁物の１つの態様を説明する斜視図である。
【図２】図２は、この発明の導体保持用絶縁物の第２絶縁物の１つの態様を説明する斜視図である。
【図３】図３は、この発明の導体保持用絶縁物を説明する分解斜視図である。
【図４】図４は、壁面部を説明する図である。図４（ａ）は、プラグインホール側の第１絶縁部および第２絶縁部の対応する壁面部を示し、図４（ｂ）はそれに隣接する（プラグインホールから遠ざかる側）第１絶縁部および第２絶縁部の対応する壁面部を示す。
【図５】図５は第２絶縁物を参照して溝部のずれを説明する図である。図５（ａ）は平面図、図５（ｂ）は正面図、図５（ｃ）は側面図である。図５（ｃ）は、第２絶縁物の壁面部２１および２２を側面からみた状態を示している。
【図６】図６は、バスダクト用ハウジングを説明する断面図である。
【図７】図７は、導体および導体を固定する絶縁物が収納されたバスダクトを説明する断面図である。
【図８】図８は、従来のプラグインホールを備えたバスダクトの一例を示す図である。
【図９】図９は図８に示すバスダクトの要部を示す図である。図９（ａ）は一部切開正面図、図９（ｂ）は平面図、図９（ｃ）はＣ−Ｃ線断面図、図９（ｄ）はＤ−Ｄ線断面図である。
【図１０】図１０は、プラグインホール側の絶縁物を示す図である。
【符号の説明】
【００４６】
１  バスダクト用ハウジング
２  第１部材
３  第２部材
４  第１嵌合部
５  第１嵌合部
６  第１部材の第１端部
７  第２部材の第１端部
８  第１部材の第２端部
９  第２部材の第２端部
１０  第１絶縁物
１１、１２、１３、１４  壁面部
１５  リブ
１６、１７、１８  溝部
１９  枠部
２０  第２絶縁物
２１、２２、２３、２４  壁面部
２６、２７、２８  溝部
３０  導体
３１  Ｌ字形の高い部分
３２  Ｌ字形の低い部分
３３  突起部
３４  板材
３５  突起部
３７  連通空間部
４０  絶縁物
【図１】
0004851477.tif 000002
【図２】
0004851477.tif 000003
【図３】
0004851477.tif 000004
【図４】
0004851477.tif 000005
【図５】
0004851477.tif 000006
【図６】
0004851477.tif 000007
【図７】
0004851477.tif 000008
【図８】
0004851477.tif 000009
【図９】
0004851477.tif 000010
【図１０】
0004851477.tif 000011